(57)【要約】【課題】秤で計量を行う時には、通常の秤として使用でき、また、未使用時には特別な収納場所を設けずとも、簡単に片付けられるようにする秤を提供すること。【解決手段】秤本体の外面に磁石を設けた構成とし、外部の磁性体からなる器材にその秤を吸着することができるようにする。また、その秤には計量機能の他に時計機能、タイマー機能、温度計測機能、湿度計測機能といった機能を持たせることとし、計量機能の未使用時に秤を外部の磁性体に吸着させた状態でも有効利用できるものとする。【選択図】　　　　図６
2004144522.tif 000002
【特許請求の範囲】
【請求項１】
重量を計測する秤において、本体外部面に磁石を備え、磁性体からなる他の部材に吸着させることが可能なことを特徴とする磁石付き秤。
【請求項２】
前記磁石と秤本体との接合部材として、弾性材料を用いることを特徴とする請求項１に記載の磁石付き秤。
【請求項３】
前記磁石が秤の脚部となることを特徴とする請求項１または２に記載の磁石付き秤。
【請求項４】
更に秤の本体と一体に設けられた握り部を有することを特徴とする請求項１から３のいずれか１項に記載の磁石付き秤。
【請求項５】
更に現在の時間を計る時計手段を有することを特徴とする請求項１から４のいずれか１項に記載の磁石付き秤。
【請求項６】
更に一定時間を計測するタイマー手段を有することを特徴とする請求項１から５のいずれか１項に記載の磁石付き秤。
【請求項７】
更に温度を計測する温度計測手段を備えることを特徴とする請求項１から６のいずれか１項に記載の磁石付き秤。
【請求項８】
更に湿度を計測する湿度計測手段を備えることを特徴とする請求項１から７のいずれか１項に記載の磁石付き秤。
【請求項９】
秤の載置皿はホワイトボードマーカーによる筆記消去可能な材質であることを特徴とする請求項１から８のいずれか１項に記載の磁石付き秤。
【発明の詳細な説明】
【０００１】
【発明の属する技術分野】
本発明は秤の構成に関するものであり、具体的には主に料理に使用される秤の構成に関するものである。
【０００２】
【従来の技術】
調理時に使用する調理秤が、家庭に普及している。これは食材の計量に用いられるが、一般的には、調理台やテーブルにおいて使用するものである。
【０００３】
また、壁に取り付けて使用する秤も提案されている（例えば、特許文献１参照）。
【０００４】
【特許文献１】
実開昭５６−６８１２７号公報
【０００５】
【発明が解決しようとする課題】
秤を使用しない時にキッチンに放置したままであると邪魔になるため、収納場所を用意しなければならなかった。しかし台所には他の調理器具や食材、調味料といった沢山の道具や食品があり、収納場所を作ることも苦労する場合がある。また、使用の度に収納場所から取り出したり片付けたりしていては、面倒であり調理の進行の妨げとなっていた。
【０００６】
実開昭５６−６８１２７号公報に記載のものであれば、特別に収納場所を確保する必要はないが、本体が壁に取り付けられているため、例えば面積の広い大きな皿ごと、計量するようなことはできず、また、本体は壁に頑丈に固定する必要があり、硬い壁も必要となる。そのため、決して使いやすいものとは言えなかった。
【０００７】
本発明はこのような問題点に鑑みてなされたものであり、秤で計量を行う時には、通常の秤として使用できるようなものであり、また、未使用時には特別な収納場所を設けずとも、簡単に片付けられるようにする秤を提供することである。
【０００８】
【課題を解決するための手段】
本発明の秤では、本体外部面に磁石を備え、磁性体からなる他の部材に吸着させることが可能なこととする。
【０００９】
また本発明の秤では、前記磁石と秤本体との接合部材として、弾性材料を用いることとする。
【００１０】
また本発明の秤では、前記磁石が秤の脚部となることとする。
【００１１】
また本発明の秤では、更に秤の本体と一体に設けられた握り部を有することとする。
【００１２】
また本発明の秤では、更に現在の時間を計る時計手段を有することとする。
【００１３】
また本発明の秤では、更に一定時間を計測するタイマー手段を有することとする。
【００１４】
また本発明の秤では、更に温度を計測する温度計測手段を備えることとする。
【００１５】
また本発明の秤では、更に湿度を計測する湿度計測手段を備えることとする。
【００１６】
また本発明の秤では、載置皿はホワイトボードマーカーによる筆記消去可能な材質であることとする。
【００１７】
【発明の実施の形態】
本発明の秤では、本体の外面に磁石を設けた構成とし、外部の磁性体からなる器材にその秤を吸着することができるようにする。
【００１８】
また、その秤には計量機能の他に時計機能、タイマー機能、温度計測機能、湿度計測機能といった機能を持たせることとし、計量機能の未使用時に秤を外部の磁性体に吸着させた状態でも有効利用できるものとする。
【００１９】
【実施例】
本発明の一実施例を図面に基づき説明する。
【００２０】
図１は本発明の秤の平面図である。
【００２１】
図２は秤の右側面図である。
【００２２】
秤１は上面に計量する物品を載せる載置皿２、計量された重量やその他の情報を表示する表示部３、各種の入力を行うスイッチを備える。スイッチは、その機能により、計量用スイッチ４Ａ、タイマー用スイッチ４Ｂ、表示切り替え用スイッチ４Ｃに分けられる。また、秤の手前側には手で握り秤を把持することかできる取っ手５が設けられている。
【００２３】
図３は秤の背面図である。
【００２４】
秤１の裏側には、各四隅にそれぞれ磁石ユニット６が設けられている。図２の側面図から解るよう磁石ユニット６は、秤１の底面から突出しており、計量時には秤の脚となるものである。
【００２５】
図４は磁石ユニット６及び秤のベース部の拡大断面図である。ここに示すように、磁石ユニットは、その最外面に磁石体６Ａがあり、その磁石体６Ａと秤本体のベース部がスペーサー６Ｂによって接合されている。このスペーサー６Ｂはフレキシブルなゴムのような弾性素材を用いており、柔軟に変形することが可能である。スペーサー６Ｂはベース部と止めネジ６Ｃによって固定され、スペーサー６Ｂと磁石体６Ａは止めネジ６Ｄによって固定される。
【００２６】
図５は、この磁石ユニット６の動作を示す図であるが、平行な状態で計量する場合には図５の真中に示すよう磁石ユニット６には床面から上方に力がかかり、スペーサー６Ｂは中心点から上方に持ち上げられ、磁石体６Ａと秤のベース部は接触する。従って、秤と脚部となる磁石体６Ａは安定した接触状態となり、問題なく計量が可能となる。
【００２７】
一方、他の方向、例えば右側や左側の方向にスペーサー６Ｂが傾いた場合には、スペーサー６Ｂは、図５の左右に示す図のように変形する。
【００２８】
尚、図６は磁石が付くことができる外部の磁性体として、冷蔵庫のドアに本発明の秤を吸着している状態を示す図である。このように曲面である冷蔵庫でも、前述の図５に示したよう、磁石ユニット６内のスペーサー６Ｂが変形することで、秤１を吸着することが可能である。
【００２９】
また、実際に未使用時に秤の磁石を外部の吸着可能な面に取り付ける場合、秤が簡単に落下しないように、秤の重量に応じたある程度の強い磁力を有する磁石が必要となるが、取っ手５と外部の磁性体との間には隙間が生じ、この取っ手５を握って手前側（載置皿側）に引けば、磁力と反する方向に力が入り易く、簡単に秤１と外部磁性体とを剥離することが出来るものとなる。
【００３０】
また、本発明の秤１は、時計機能、タイマー機能、温度計測機能、湿度計測機能を備えるものである。それらの機能を実現するための具体的構成は公知なのでここでは省略する。
【００３１】
図７は、それらの機能における表示部３の表示状態を示すものであるが、図７（ａ）は通常の秤としての計量時の表示、図７（ｂ）はタイマー機能としての表示、図７（ｃ）は下段に現在時刻の表示、上段左側に温度表示、上段右側に湿度表示を行っている。
【００３２】
計量時には計量用スイッチ４Ａを用い、ＯＮ／ＴＡＲＥスイッチを押すことで計量可能状態となり、ＯＦＦスイッチを押すと表示は消える。
【００３３】
タイマー機能時にはタイマー用スイッチ４Ｂを用い、ｍｉｎスイッチで分を、ｓｅｃスイッチで秒を設定し、ｓｔａｒｔ／ｓｔｏｐスイッチで計測開始と終了を行う。
【００３４】
時計機能時には、表示切り替え用スイッチ４Ｃを押すことで、現在時刻等は表示されるが、再度押すことで何も表示されなくなるものである。
【００３５】
このようにすることで、秤として計量を行わずに外部の磁性体に秤１を吸着させている場合にも、秤１を有効に活用することができる。
【００３６】
また、図には示さないが、本発明の秤の載置皿２は、ホワイトボードのようにマーカーによって記載することが可能な素材を用いている。このような素材としては、金属板の表面に白色のホーロー引き加工を行うか、あるいは、アクリル系、ナイロン系の白色フィルムを上張り材として用いることで形成することが可能である。
【００３７】
このような秤であれば、例えば未使用時に、秤を冷蔵庫の側面に貼り付けた状態で、更にメモ書きを載置皿２に行うことが可能となり、より便利なものとなる。
【００３８】
以上、本発明の実施例として、ここでは秤の４つの脚部が磁石を備えるものとして説明したが、これに限らず秤の外面に磁石が設けられていればよく、またその個数も限定することはない。
【００３９】
【発明の効果】
本発明の秤であれば、本体外周面に磁石を設けているため、冷蔵庫や電子レンジのような磁性材料からなる電化製品といった器材に貼り付けることが可能であり、秤の未使用時に特別に収納場所を設ける必要がなくなり便利である。
【００４０】
また、磁石と秤との接合部材に弾性材料を用いれば、外部の器材が曲面であっても、秤を吸着させることが可能となる。
【００４１】
また、秤の脚部と磁石とを兼用する構造であれば、部品点数を増やさずに、本発明の秤を実現することが可能である。
【００４２】
また、握り部を設けた構成としておけば、磁石の吸引力に反する力を加え易く、秤と外部の磁性体とを簡単に剥離することが可能となる。
【００４３】
また、時計機能、タイマー機能、温度計測機能、湿度計測機能といった計量以外の機能を備える構成とすれば、秤の未使用時に外部の磁性体に吸着させた状態でも、有効に利用することができる。同様に、秤の載置皿がマーカーによる文字記載及び消去が可能なものである場合にも、秤を有効に活用することができる。
【図面の簡単な説明】
【図１】本発明の実施例における秤の外観図
【図２】本発明の実施例における秤の外観右側面図
【図３】本発明の実施例における秤の裏側を示す図
【図４】本発明の実施例における磁石ユニットの断面図
【図５】本発明の実施例における磁石ユニットの動作を示す図
【図６】本発明の実施例における秤を外部磁性材に貼り付けている図
【図７】本発明の実施例における秤の表示変形例を示す図
【符号の説明】
１　秤
２　載置皿
３　表示部
４Ａ　計量用スイッチ
４Ｂ　タイマー用スイッチ
４Ｃ　表示切り替え用スイッチ
５　取っ手
６　磁石ユニット
６Ａ　磁石体
６Ｂ　スペーサー
６Ｃ、６Ｄ　止めネジ
【図１】
2004144522.tif 000003
【図２】
2004144522.tif 000004
【図３】
2004144522.tif 000005
【図４】
2004144522.tif 000006
【図５】
2004144522.tif 000007
【図６】
2004144522.tif 000008
【図７】
2004144522.tif 000009